(57)【要約】      （修正有）【課題】左右メガネ枠とブリッジとの回動連結部が長期の使用においても緩んだり脱落したりすることがなく、かつ、その製造が容易な折り畳み式メガネフレームを提供する。【解決手段】折り畳み式メガネフレームは、ブリッジ１３と、その右端部および左端部に各々回動可能に連結された右レンズ用枠および左レンズ用枠１２を備えている。右レンズ用枠および左レンズ用枠１２とブリッジ１３には各々、上下方向を軸とする円柱形状の中空部が設けられており、右レンズ用枠および左レンズ用枠１２に設けられた隙間にブリッジ１３が嵌め込まれると、それらの中空部が互いに連結され、左右２本の円柱形状の中空部が形成される。当該連結により形成される左右の中空部の各々に円柱形状の右側ピン１４および左側ピン１５を差し込むことで、ブリッジ１３に対する右レンズ用枠および左レンズ用枠１２の回動可能な連結が行われる。【選択図】図１
0003170613.tif 000002
【実用新案登録請求の範囲】
【請求項１】
右レンズを保持する右レンズ用枠であって、当該右レンズ用枠の左端部に上下方向を軸とする円柱形状の中空部を有する右レンズ用枠と、
左レンズを保持する左レンズ用枠であって、当該左レンズ用枠の右端部に上下方向を軸とする円柱形状の中空部を有する左レンズ用枠と、
前記右レンズ用枠の左端部および前記左レンズ用枠の右端部に取り付けられ、前記右レンズ用枠と前記左レンズ用枠との連結を行うブリッジであって、当該ブリッジの左端部および右端部の各々に上下方向を軸とする円柱形状の中空部を有するブリッジと、
前記右レンズ用枠の左端部の中空部と前記ブリッジの右端部の中空部とが連結されるように前記右レンズ用枠と前記ブリッジが配置された状態で、当該連結により形成された円筒形状の中空部に挿入される円柱形状のピンである右側ピンと、
前記左レンズ用枠の右端部の中空部と前記ブリッジの左端部の中空部とが連結されるように前記左レンズ用枠と前記ブリッジが配置された状態で、当該連結により形成された円筒形状の中空部に挿入される円柱形状のピンである左側ピンと
を備え、
前記右レンズ用枠と前記ブリッジとは、前記右側ピンの円柱形状の軸の周りに回動可能であり、
前記左レンズ用枠と前記ブリッジとは、前記左側ピンの円柱形状の軸の周りに回動可能である
折り畳み式メガネフレーム。
【請求項２】
前記右側ピンは、当該右側ピンの円柱形状の軸方向の所定の位置における外側面上に、半径方向に突起した凸部を有し、
前記右レンズ用枠の前記中空部および前記ブリッジの左端部の前記中空部の少なくとも一方は、当該中空部の円柱形状の軸方向の所定の位置における内側面上に、半径方向に凹んだ凹部を有し、
前記右側ピンの前記凸部が前記右レンズ用枠および前記ブリッジの左端部の少なくとも一方の前記凹部に嵌合し、
前記左側ピンは、当該左側ピンの円柱形状の軸方向の所定の位置における外側面上に、半径方向に突起した凸部を有し、
前記左レンズ用枠の前記中空部および前記ブリッジの右端部の前記中空部の少なくとも一方は、当該中空部の円柱形状の軸方向の所定の位置における内側面上に、半径方向に凹んだ凹部を有し、
前記左側ピンの前記凸部が前記左レンズ用枠および前記ブリッジの右端部の少なくとも一方の前記凹部に嵌合する
請求項１に記載の折り畳み式メガネフレーム。
【請求項３】
前記ブリッジの左右方向に対し前記右レンズ用枠の左右方向および前記左レンズ用枠の左右方向が沿う状態で前記ブリッジと前記右レンズ用枠および前記左レンズ用枠の各々とが互いに接触する領域において、前記ブリッジが当該ブリッジから前記右レンズ用枠もしくは前記左レンズ用枠に向かい突起した凸部を有するか、もしくは前記右レンズ用枠もしくは前記左レンズ用枠が当該右レンズ用枠もしくは当該左レンズ用枠から前記ブリッジに向かい突起した凸部を有する
請求項１または２に記載の折り畳み式メガネフレーム。
【請求項４】
前記右レンズ用枠の右端部に回動可能に連結される右前側つると、
前記右前側つるの前記右レンズ用枠に連結される側とは反対側の端部に回動可能に連結される右後側つると、
前記左レンズ用枠の左端部に回動可能に連結される左前側つると、
前記左前側つるの前記左レンズ用枠に連結される側とは反対側の端部に回動可能に連結される左後側つると
を備える
請求項１乃至３のいずれかに記載の折り畳み式メガネフレーム。
【考案の詳細な説明】
【技術分野】
【０００１】
本考案は、折り畳み式メガネフレームに関する。
【背景技術】
【０００２】
折り畳み式メガネフレームに関しては、従来からいくつかのアイデアが提案されている。
【０００３】
例えば、特許文献１乃至３はいずれも、ブリッジの両端と左右レンズ枠との間に折り畳み用の蝶番を設けるとともに、左右のつるの中間付近にも各々折り畳み用の蝶番を設けて、コンパクトな折り畳みを可能とした折り畳み式メガネフレームを開示している。
【先行技術文献】
【特許文献】
【０００４】
【特許文献１】特開２００２−３２８３４１号公報
【特許文献２】特開２０００−１８０７９８号公報
【特許文献３】特開平７−２０９６１４号公報
【考案の概要】
【考案が解決しようとする課題】
【０００５】
ところで、上述のような折り畳み式メガネフレームの蝶番における回動部分の軸芯としては、ネジや、両端を押し潰してフランジを付けた金属パイプなどが一般的に採用されている。
【０００６】
ネジを軸芯とするものは、使用に伴いネジが緩み、頻繁にネジの締め直しを行う必要があり煩わしい。一方、金属パイプにフランジを付けて固定したものを軸芯とする場合、その加工に繊細な技術を要する。
【０００７】
そこで、本考案は、左右メガネ枠とブリッジとの回動連結部が長期の使用においても緩んだり脱落したりすることがなく、かつ、その製造が容易な折り畳み式メガネフレームを提供することを目的とする。
【課題を解決するための手段】
【０００８】
本考案は、上記の目的に鑑みて想到されたものであり、
右レンズを保持する右レンズ用枠であって、当該右レンズ用枠の左端部に上下方向を軸とする円柱形状の中空部を有する右レンズ用枠と、
左レンズを保持する左レンズ用枠であって、当該左レンズ用枠の右端部に上下方向を軸とする円柱形状の中空部を有する左レンズ用枠と、
前記右レンズ用枠の左端部および前記左レンズ用枠の右端部に取り付けられ、前記右レンズ用枠と前記左レンズ用枠との連結を行うブリッジであって、当該ブリッジの左端部および右端部の各々に上下方向を軸とする円柱形状の中空部を有するブリッジと、
前記右レンズ用枠の左端部の中空部と前記ブリッジの右端部の中空部とが連結されるように前記右レンズ用枠と前記ブリッジが配置された状態で、当該連結により形成された円筒形状の中空部に挿入される円柱形状のピンである右側ピンと、
前記左レンズ用枠の右端部の中空部と前記ブリッジの左端部の中空部とが連結されるように前記左レンズ用枠と前記ブリッジが配置された状態で、当該連結により形成された円筒形状の中空部に挿入される円柱形状のピンである左側ピンと
を備え、
前記右レンズ用枠と前記ブリッジとは、前記右側ピンの円柱形状の軸の周りに回動可能であり、
前記左レンズ用枠と前記ブリッジとは、前記左側ピンの円柱形状の軸の周りに回動可能である
折り畳み式メガネフレームを提供する（第１の実施態様）。
【０００９】
また、上記の第１の実施態様において、
前記右側ピンは、当該右側ピンの円柱形状の軸方向の所定の位置における外側面上に、半径方向に突起した凸部を有し、
前記右レンズ用枠の前記中空部および前記ブリッジの左端部の前記中空部の少なくとも一方は、当該中空部の円柱形状の軸方向の所定の位置における内側面上に、半径方向に凹んだ凹部を有し、
前記右側ピンの前記凸部が前記右レンズ用枠および前記ブリッジの左端部の少なくとも一方の前記凹部に嵌合し、
前記左側ピンは、当該左側ピンの円柱形状の軸方向の所定の位置における外側面上に、半径方向に突起した凸部を有し、
前記左レンズ用枠の前記中空部および前記ブリッジの右端部の前記中空部の少なくとも一方は、当該中空部の円柱形状の軸方向の所定の位置における内側面上に、半径方向に凹んだ凹部を有し、
前記左側ピンの前記凸部が前記左レンズ用枠および前記ブリッジの右端部の少なくとも一方の前記凹部に嵌合する
構成を採用してもよい（第２の実施態様）。
【００１０】
また、上記の第１または２の実施態様において、
前記ブリッジの左右方向に対し前記右レンズ用枠の左右方向および前記左レンズ用枠の左右方向が沿う状態で前記ブリッジと前記右レンズ用枠および前記左レンズ用枠の各々とが互いに接触する領域において、前記ブリッジが当該ブリッジから前記右レンズ用枠もしくは前記左レンズ用枠に向かい突起した凸部を有するか、もしくは前記右レンズ用枠もしくは前記左レンズ用枠が当該右レンズ用枠もしくは当該左レンズ用枠から前記ブリッジに向かい突起した凸部を有する
構成を採用してもよい（第３の実施態様）。
【００１１】
また、上記の第１乃至３のいずれかの実施態様において、
前記右レンズ用枠の右端部に回動可能に連結される右前側つると、
前記右前側つるの前記右レンズ用枠に連結される側とは反対側の端部に回動可能に連結される右後側つると、
前記左レンズ用枠の左端部に回動可能に連結される左前側つると、
前記左前側つるの前記左レンズ用枠に連結される側とは反対側の端部に回動可能に連結される左後側つると
を備える
構成を採用してもよい（第４の実施態様）。
【考案の効果】
【００１２】
本考案の第１の実施態様にかかる折り畳み式メガネフレームによれば、左右レンズ用枠とブリッジとの間の軸着機構としてネジではなく単純な円柱形状のピンが採用されているため、当該軸着機構におけるネジの緩み等が発生せず好適である。また、その組み立てにおいて、左右レンズ用枠の各々とブリッジとを貫通するように配置される円柱形状の中空部に円柱形状のピンを差し込むだけでそれらの連結が完了するため、簡便である。
【００１３】
また、本考案の第２の実施態様にかかる折り畳み式メガネフレームによれば、ピンを差し込むと、ピンの凸部とレンズ用枠の凹部が嵌合することにより、ピンの脱落が防止される。
【００１４】
また、本考案の第３の実施態様にかかる折り畳み式メガネフレームによれば、使用時にブリッジと左右のレンズ用枠の左右方向が概ね一直線上に並ぶように開いた時、ブリッジと左右のレンズ用枠とが接触する領域において、両者のどちらか一方から他方へと向かい突起する凸部により摩擦力が生じる結果、ブリッジと左右のレンズ用枠とが容易にずれることがなく、不用意に左右のレンズ用枠とブリッジとが折り畳まれてしまう、という不都合が回避される。
【００１５】
また、本考案の第４の実施態様にかかる折り畳み式メガネフレームによれば、左右のつるの各々の前側と後側とが軸着され折り畳み可能であるため、ブリッジ部分における折り畳みと組み合わせて、折り畳み式メガネフレームをさらにコンパクトに折り畳むことが可能である。
【図面の簡単な説明】
【００１６】
【図１】図１は、本考案にかかる折り畳み式メガネフレームのブリッジ部分近辺の外観を示す概略図である。
【図２】図２は、本考案にかかる折り畳み式メガネフレームの全体の外観を示す概略図である。
【図３】図３は、本考案にかかる右側ピンもしくは左側ピンの正面図である。
【考案を実施するための形態】
【００１７】
（実施例）
以下、本考案の一具体例である実施例を、図面を用いて説明する。
【００１８】
図１は、本実施例にかかる折り畳み式メガネフレーム１のブリッジ部分近辺の外観を示す概略図である。また、図２は、本実施例にかかる折り畳み式メガネフレーム１の全体の外観を示す概略図である。なお、以下、折り畳み式メガネフレーム１の各要素の左右に言及する場合、ユーザが当該メガネフレームを掛ける位置関係から見て言うものとする。
【００１９】
折り畳み式メガネフレーム１は、右レンズ用枠１１および左レンズ用枠１２と、右レンズ用枠１１および左レンズ用枠１２の連結を行うブリッジ１３と、当該連結のために用いられる右側ピン１４および左側ピン１５と、右前側つる１６および左前側つる１７と、右後側つる１８および左後側つる１９とを備えている。
【００２０】
右レンズ用枠１１、左レンズ用枠１２、ブリッジ１３、右前側つる１６、左前側つる１７、右後側つる１８、および左後側つる１９の素材は、例えばグリルアミドＴＲ−９０である。グリルアミドＴＲ−９０は、プラスチックの一種であり、その特徴は、軽量、弾性、耐薬品性などに優れていることである。
【００２１】
右側ピン１４および左側ピン１５の素材は、例えばアルミである。この場合、アルミは軽量であり強く、耐食性に優れていることから採用されている。
【００２２】
右レンズ用枠１１は、ユーザの右目用のレンズを保持するための枠である。また、右レンズ用枠１１は、ブリッジ１３を挟んで左レンズ用枠１２の右端部に連結されるとともに、その右端部において右前側つる１６に連結されている。
【００２３】
同様に、左レンズ用枠１２は、ユーザの左目用のレンズを保持するための枠である。また、左レンズ用枠１２は、ブリッジ１３を挟んで右レンズ用枠１１の左端部に連結されるとともに、その左端部において左前側つる１７に連結されている。
【００２４】
ブリッジ１３は、右レンズ用枠１１の左端部および左レンズ用枠１２の右端部に取り付けられ、両者の連結を行う部材である。ブリッジ１３は、高さが例えば５ミリメートルで、前後方向の厚さが例えば３ミリメートルで左右方向の幅が例えば２０ミリメートルの細長い略矩形の棒状体であり、その両端がやや後ろに反った曲線を描くような形状を有している。
【００２５】
また、ブリッジ１３は、左端部および右端部の各々に上下方向を軸とし、上面および下面において開口した円柱形状の中空部を有している。
【００２６】
右レンズ用枠１１は、ブリッジ１３と係合する際にブリッジ１３が挿入される所定の大きさおよび形状の隙間を有するとともに、当該隙間の右端部付近において当該隙間を上下方向に貫くように、上下方向を軸とする円柱形状の中空部を有している。当該円柱形状の中空部は、上面のみ開口した有底穴であり、その底面近くの内側面上に、後述する右側ピン１４の凸部１４１を受容するための環状の凹部（図示略）が設けられている。
【００２７】
同様に、左レンズ用枠１２は、ブリッジ１３と係合する際にブリッジ１３が挿入される所定の大きさおよび形状の隙間を有するとともに、当該隙間の左端部付近において当該隙間を上下方向に貫くように、上下方向を軸とする円柱形状の中空部を有している。当該円柱形状の中空部は、上面のみ開口した有底穴であり、その底面近くの内側面上に、後述する左側ピン１５の凸部１５１を受容するための環状の凹部（図示略）が設けられている。
【００２８】
上述した右レンズ用枠１１の隙間にブリッジ１３の右端部を嵌め込むと、右レンズ用枠１１の上下方向に隙間を挟んで貫くように設けられた中空部とブリッジ１３の右端部に設けられた中空部とが連結され、１つの円柱形状の中空部が形成される。以下、当該連結により形成される円柱形状を右側連結中空部と呼ぶ。
【００２９】
同様に、上述した左レンズ用枠１２の隙間にブリッジ１３の左端部を嵌め込むと、左レンズ用枠１２の上下方向に隙間を挟んで貫くように設けられた中空部とブリッジ１３の左端部に設けられた中空部とが連結され、１つの円柱形状の中空部が形成される。以下、当該連結により形成される円柱形状を左側連結中空部と呼ぶ。
【００３０】
なお、本願において、円柱形状という場合、その側面上にネジ山もしくはネジ谷が切られたものを含まないものとする。
【００３１】
図３は、本実施例にかかる右側ピン１４もしくは左側ピン１５の正面図である。
【００３２】
右側ピン１４および左側ピン１５は、概ね円柱形状を有しているが、それらの上部（頭部）は半径方向に広がり、鍔を成している。その鍔によって、右側ピン１４および左側ピン１５の右レンズ用枠１１および左レンズ用枠１２に対する上下方向の位置決めが可能となる。
【００３３】
また、右側ピン１４および左側ピン１５は各々、下部の先端付近の外側面上において半径方向に突起した凸部１４１および凸部１５１を有している。右側ピン１４および左側ピン１５の先端付近に長手方向に設けられた切り欠きは、凸部１４１および凸部１５１が半径方向内側に力を受けた場合に、変形しながらの所定の弾性を発揮するために設けられている。
【００３４】
右側ピン１４および左側ピン１５は、上述の右側連結中空部および左側連結中空部に挿入されて、右レンズ用枠１１と左レンズ用枠１２とをブリッジ１３を介して連結する。なお、右側ピン１４および左側ピン１５が右側連結中空部および左側連結中空部に挿入された状態において、右側ピン１４および左側ピン１５の頭部上面と右レンズ用枠１１および左レンズ用枠１２の上面とが同一面を成すように、右側ピン１４および左側ピン１５の長さおよび形状が定められている。
【００３５】
右側ピン１４および左側ピン１５が右側連結中空部および左側連結中空部に挿入される際、凸部１４１および凸部１５１が上述の弾性変形により半径方向内側に移動することによって凸部１４１および凸部１５１の外径が右側連結中空部もしくは左側連結中空部の内径以下となるように変形し、その挿入が可能となる。
【００３６】
右側ピン１４および左側ピン１５が右側連結中空部および左側連結中空部に完全に挿入されると、上述した右レンズ用枠１１および左レンズ用枠１２の円柱形状の中空部の内側面上に設けられた凹部（図示略）に、右側ピン１４および左側ピン１５の凸部１４１および凸部１５１が嵌合する。これにより、折り畳み式メガネフレーム１のブリッジ１３の近辺部分の組み立てが完成する。なお、図１から明らかなように、本実施例にかかる折り畳み式メガネフレーム１は、右レンズ用枠１１および左レンズ用枠１２とブリッジ１３の有する形状によって、当該フレームの内側に折り畳むことはできるが外側に折り畳むことはできない。
【００３７】
ブリッジ１３の近辺部分の組み立てが完成した状態では、右レンズ用枠１１と右側ピン１４とが回動不可能および摺動不可能な状態で固定され、ブリッジ１３が右側ピン１４を介して右レンズ用枠１１と回動可能および摺動可能な状態で連結される。同様に、左レンズ用枠１２と左側ピン１５とが回動不可能および摺動不可能な状態で固定され、ブリッジ１３が左側ピン１５を介して左レンズ用枠１２と回動可能および摺動可能な状態で連結される。その様な構成を有することにより、右レンズ用枠１１および左レンズ用枠１２の折り畳み式メガネフレーム１における内側方向への折り畳みが可能となる。
【００３８】
より詳しくは、右側ピン１４および左側ピン１５の上部の鍔の外径を１としたときに右レンズ用枠１１の円柱形状の中空部の内径が９９／１００となるように設計されている。そのため、右側ピン１４および左側ピン１５が右レンズ用枠１１および左レンズ用枠１２から離脱することが防止される。
【００３９】
また、右側ピン１４および左側ピン１５の上下方向の中腹部（ブリッジ１３と係合している部分）の外径を１としたときにブリッジ１３の円柱形状の中空部の内径が１となるように設計されている。折り畳み式メガネフレーム１をブリッジ１３の部分で折り畳む場合に、摩擦を最大限抑え、かつ右側ピン１４および左側ピン１５とブリッジ１３との間が緩くなることを防止するためである。
【００４０】
このように、回動可能な軸着機構として右側ピン１４および左側ピン１５を採用することにより、当該軸着機構の各要素の離脱や緩みを防止することができる。その結果として、長期に渡り折り畳み式メガネフレーム１を修理などすることなく使用することができる。
【００４１】
ブリッジ１３の上端面には、上述の細長い略矩形の長手方向に沿って並ぶように４個の凸部１３１が設けられている。凸部１３１は、図１に示されるように、ブリッジ１３と右レンズ用枠１１および左レンズ用枠１２の左右方向が概ね一直線上に並ぶように折り畳み式メガネフレーム１が開かれた状態において、ブリッジ１３から右レンズ用枠１１および左レンズ用枠１２へと向かい突起している。したがって、ブリッジ１３の上端面が右レンズ用枠１１および左レンズ用枠１２と接触する領域において、凸部１３１が生ずる摩擦力により、ブリッジ１３に対する右レンズ用枠１１および左レンズ用枠１２の回動および摺動が抑制される。
【００４２】
ただし、凸部１３１の突起は若干の弾性を有するとともに、図１に示されるように微小であるため、ブリッジ１３の上端面と右レンズ用枠１１および左レンズ用枠１２とが面として接触すること自体を妨げることはない。
【００４３】
右前側つる１６および左前側つる１７の各々は、通常のメガネにおけるつる全体の前側の概ね半分の部分である。したがって、右前側つる１６および左前側つる１７の各々は、一方の端部が右レンズ用枠１１の右端部および左レンズ用枠１２の左端部に回動可能なように各々連結されている。
【００４４】
そして、右後側つる１８および左後側つる１９の各々は、通常のメガネにおけるつる全体の後側の概ね半分の部分である。右後側つる１８および左後側つる１９の各々は、右前側つる１６および左前側つる１７の各々の後側端部において、それらに回動可能に連結されている。右前側つる１６と右後側つる１８との連結部および左前側つる１７と左後側つる１９との連結部における回動可能な方向は、例えば折り畳み式メガネフレーム１の内側に向かってであり、外側に向かっては回動しないように歯止めがかかっている。
【００４５】
それらが回動可能に連結されていることによって、左右のつるの折り畳みが可能となる。より具体的には、右前側つる１６と右後側つる１８が互いに沿うように折り畳まれて全体として１本の短い棒状体となり、同様に、左前側つる１７と左後側つる１９が互いに沿うように折り畳まれて全体として１本の短い棒状体となることで、折り畳まれた折り畳み式メガネフレーム１の前後方向の長さが概ね半分となる。
【００４６】
以上の様に構成される折り畳み式メガネフレーム１の使用方法の一例を、以下に説明する。
【００４７】
ユーザが屋外でサングラスを掛けている状態から、屋内に入ってくる。すると、当該サングラスが邪魔になるので、当該サングラスを外し、先ず右後側つる１８を回動させながら約１８０度折り曲げて右前側つる１６に沿わせる。そして、１本の短い棒状体のようになった右前側つる１６および右後側つる１８を、右レンズ用枠１１と右前側つる１６との連結軸周りに内側に約９０度回動させて右レンズ用枠１１に沿わせる。
【００４８】
次に、ユーザは、同様に左後側つる１９を回動させながら約１８０度折り曲げて左前側つる１７に沿わせる。そして、１本の短い棒状体のようになった左前側つる１７および左後側つる１９を、左レンズ用枠１２と左前側つる１７との連結軸周りに内側に約９０度回動させて左レンズ用枠１２に沿わせる。
【００４９】
その後、ユーザは、ブリッジ１３に対し、右レンズ用枠１１および左レンズ用枠１２を各々、右側ピン１４および左側ピン１５の軸周りに約９０度、内側に回動させる。その際、ブリッジ１３に対し、右レンズ用枠１１および左レンズ用枠１２がその接触している領域において摺動し、凸部１３１による摩擦力から解放される。
【００５０】
そのようにブリッジ１３に対し回動および摺動された右レンズ用枠１１および左レンズ用枠１２は、それらの面が概ね平行となって重なり合うことになる。その結果、折り畳み式メガネフレーム１は非常にコンパクトになり、シャツの胸ポケット等に収めても邪魔にならない。
【００５１】
（変形例）
上述した実施例は、本考案の技術的思想の範囲内で様々に変形が可能である。
【００５２】
例えば、上述した実施例においては、右レンズ用枠１１の左端部および左レンズ用枠１２の右端部が各々ブリッジ１３の右端部および左端部をサンドイッチ状に挟み込むように連結され、そのように連結された右レンズ用枠１１および左レンズ用枠１２とブリッジ１３を上下方向に貫くように右側連結中空部および左側連結中空部が形成されるものとしたが、本考案はこれに限られるものではない。例えば、ブリッジ１３の右端部および左端部が各々右レンズ用枠１１の左端部および左レンズ用枠１２の右端部をサンドイッチ状に挟むような形状で連結され、それらを上下方向に貫くように右側連結中空部および左側連結中空部が形成される構成が採用されてもよい。また、同様に、ブリッジ１３の右端部および左端部が各々右レンズ用枠１１の左端部および左レンズ用枠１２の右端部の上に載る、もしくは逆に右レンズ用枠１１の左端部および左レンズ用枠１２の右端部が各々ブリッジ１３の上に載るような形状で連結され、それらを上下方向に貫くように右側連結中空部および左側連結中空部が形成される構成が採用されてもよい。
【００５３】
また、上述の円柱形状の中空部は有底穴であるとしたが、特に問題がなければ無底孔であってもよい。孔が貫通していれば、折り畳み式メガネフレーム１の完成状態において、右側ピン１４および左側ピン１５を取り外す場合に、下側から押圧することができるので便利である。
【００５４】
また、４個の凸部１３１はブリッジ１３の上端面に設けられているものとしたが、右レンズ用枠１１および左レンズ用枠１２のブリッジ１３と接触するいずれかの領域に凸部１３１と同様の凸部が設けられていてもよい。この場合、凸部は右レンズ用枠１１および左レンズ用枠１２からブリッジへ向かい突起することとなる。
【００５５】
また、右前側つる１６および左前側つる１７は右後側つる１８および左後側つる１９と軸着されており、右後側つる１８および左後側つる１９は折り畳み式メガネフレーム１の内側に向かって回動可能であるものとしたが、本考案はこれに限られるものではない。したがって、右後側つる１８および左後側つる１９は各々、右前側つる１６および左前側つる１７に対して上方向もしくは下方向並びに折り畳み式メガネフレーム１の外側に向かって回動可能な構成を採用してもよい。
【００５６】
また、上述した実施例における各要素の大きさ、個数などを示す数値や形状はあくまでも例示であって、特に問題がなければ他の数値や形状が採用されてもよい。例えば、凸部１３１は４個設けられるものとしたが、その数は４個に限られない。
【００５７】
また、上述した実施例における各要素の素材は、特に問題がなければ、上述したものに限られず他の素材が採用されてもよい。例えば、折り畳み式メガネフレーム１のほとんどの要素に採用されているグリルアミドＴＲ−９０は、他のプラスチックもしくはプラスチック以外の素材によって代替されてもよい。また、右側ピン１４および左側ピン１５は、アルミ以外の素材によって作られていてもよい。
【００５８】
また、右側ピン１４および左側ピン１５はその上部（頭部）に半径方向に広がる鍔を有し、また右側ピン１４および左側ピン１５は下方の先端付近の外側面上において半径方向に突起した凸部１４１および凸部１５１を有しており、右側ピン１４および左側ピン１５の先端付近には凸部１４１および凸部１５１が半径方向内側に力を受けた場合に所定の弾性を発揮するための切り欠きが設けられているものとしたが、本考案はこれに限定されるものではない。したがって、例えば、凸部１４１および凸部１５１並びに上述の切り欠きは設けられなくてもよい。また、凸部１４１および凸部１５１が設けられる位置は、右側ピン１４および左側ピン１５の各々の下方の先端付近の外側面上に限られず、例えばそれらの中腹付近の外側面上であってもよい。
【００５９】
また、折り畳み式メガネフレーム１は、ブリッジ１３の有する機能において当該フレームの内側に折り畳むことはできるが外側に折り畳むことはできないものとしたが、本発明はこれに限定されるものではない。したがって、折り畳み式メガネフレーム１は、当該フレームの外側に折り畳むことができるものとしてもよい。
【００６０】
また、上述した折り畳み式メガネフレーム１の使用方法はあくまでも一例であって、他のいかなる方法によって使用されてもよい。
【産業上の利用可能性】
【００６１】
本考案の折り畳み式メガネフレームは、折り畳みが可能で利便性が高く、多くの一般消費者に使用され得る。そのため、大量に製造・販売され、いわゆる製造業や小売業などのサービス業において利用可能である。
【符号の説明】
【００６２】
１…折り畳み式メガネフレーム、１１…右レンズ用枠、１２…左レンズ用枠、１３…ブリッジ、１３１…凸部、１４…右側ピン、１４１…凸部、１５…左側ピン、１５１…凸部、１６…右前側つる、１７…左前側つる、１８…右後側つる、１９…左後側つる
【図１】
0003170613.tif 000003
【図２】
0003170613.tif 000004
【図３】
0003170613.tif 000005